(57)【要約】【課題】トレーニングモードを有する貨幣処理装置において、トレーニング実施後に、装置内の貨幣の状態を、容易かつ確実に、元の状態に戻せるようにする。【解決手段】貨幣処理装置１は、トレーニングモードを有する。制御部３００は、トレーニングモードにおいて、貨幣の投入を伴う入金処理、または、貨幣の払い出しを伴う出金処理のうち少なくともいずれか一方を実行可能である。管理部３１０は、入金処理において投入された貨幣、または、出金処理において払い出された貨幣について、個別情報３１２，３１３を管理する。【選択図】図３
2019046362.tif 000002
【特許請求の範囲】
【請求項１】
トレーニングモードを有する貨幣処理装置であって、
前記貨幣処理装置の動作を制御する制御部と、
前記貨幣処理装置内の貨幣の個別情報を取得する個別情報取得部と、
前記個別情報取得部によって取得された貨幣の個別情報を管理する管理部とを備え、
前記制御部は、トレーニングモードにおいて、貨幣の投入を伴う入金処理、または、貨幣の払い出しを伴う出金処理のうち少なくともいずれか一方を実行可能であり、
前記管理部は、入金処理において投入された貨幣、または、出金処理において払い出された貨幣について、個別情報を管理する
ことを特徴とする貨幣処理装置。
【請求項２】
請求項１記載の貨幣処理装置において、
前記制御部は、前記管理部に管理された個別情報を用いて、トレーニングモード開始時と比べて貨幣の過不足がないことが確認されたことを条件に、トレーニングモードを終了する
ことを特徴とする貨幣処理装置。
【請求項３】
請求項１記載の貨幣処理装置において、
前記制御部は、前記管理部に管理された個別情報を参照して、トレーニングモード開始時と比べて貨幣の過不足があるとき、余剰貨幣または不足貨幣がある旨の情報を、前記貨幣処理装置の外部に出力する
ことを特徴とする貨幣処理装置。
【請求項４】
請求項１または２記載の貨幣処理装置において、
前記制御部は、トレーニングモード開始時と比べて貨幣の過不足があるとき、前記管理部に管理された個別情報を参照して、余剰貨幣または不足貨幣に関する個別情報を含む情報を、前記貨幣処理装置の外部に出力する
ことを特徴とする貨幣処理装置。
【請求項５】
請求項１記載の貨幣処理装置において、
前記制御部は、トレーニングモード開始時と比べて貨幣の不足があるとき、
投入された貨幣について、個別情報を前記個別情報取得部によって取得し、
取得した個別情報が、前記管理部に管理された不足貨幣の個別情報と一致する貨幣を、取り込む
ことを特徴とする貨幣処理装置。
【請求項６】
請求項５記載の貨幣処理装置において、
前記制御部は、投入された貨幣のうち、取得した個別情報が、前記管理部に管理された不足貨幣の個別情報と一致しない貨幣を、排出する
ことを特徴とする貨幣処理装置。
【請求項７】
請求項１記載の貨幣処理装置において、
前記制御部は、トレーニングモード開始時と比べて貨幣の余剰があるとき、
前記貨幣処理装置内の貨幣について、個別情報を前記個別情報取得部によって取得し、
取得した個別情報が、前記管理部に管理された余剰貨幣の個別情報と一致する貨幣を、払い出す
ことを特徴とする貨幣処理装置。
【請求項８】
請求項１〜７のうちいずれか１項記載の貨幣処理装置において、
前記制御部は、トレーニングモードにおいて出金処理を実行する場合に、前記個別情報取得部によって個別情報が取得できなかった貨幣を、払い出しの対象から除外する
ことを特徴とする貨幣処理装置。
【請求項９】
請求項１〜７のうちいずれか１項記載の貨幣処理装置において、
前記制御部は、トレーニングモードにおいて入金処理を実行する場合に、前記個別情報取得部によって個別情報が取得できなかった貨幣は、排出する
ことを特徴とする貨幣処理装置。
【発明の詳細な説明】
【技術分野】
【０００１】
ここに開示する技術は、トレーニングモードを有する貨幣処理装置に関する。
【背景技術】
【０００２】
特許文献１には、トレーニングモードを有する貨幣処理装置が開示されている。トレーニングモードでは、操作者は、正常系シナリオ（入金、出金等）や異常系シナリオ（詰まり、オーバーフロー等）を体験できる。この貨幣処理装置は、トレーニングモードの開始時に現在の在高情報を記憶し、トレーニング実施後に、在高情報がトレーニング開始前と一致することを条件として、トレーニングモードを終了し、通常モードへ切り替える。在高が一致していない場合には、貨幣の入出金状態の確認を促すメッセージを操作画面に表示する。
【先行技術文献】
【特許文献】
【０００３】
【特許文献１】特開２０１７−０７２９０５号公報
【発明の概要】
【発明が解決しようとする課題】
【０００４】
ところが、特許文献１の構成では、例えば、トレーニングモードで出金処理を行った結果、在高が不足している場合に、操作者は、どの貨幣を貨幣処理装置に戻したらいいのか、あるいは、どの貨幣を戻さなくていいのか、がよく分からない場合がある。また、トレーニングモードで入金処理を行った結果、在高が増えている場合には、貨幣処理装置から貨幣を払い出して在高を一致させることはできるものの、どの貨幣を払い出すべきか分からないので、装置内の貨幣の状態をトレーニング前の状態に完全に戻すことが、必ずしもできない。
【０００５】
ここに開示する技術は、かかる点に鑑みてなされたものであり、トレーニングモードを有する貨幣処理装置において、トレーニング実施後に、装置内の貨幣の状態を、容易かつ確実に、元の状態に戻せるようにすることを目的とする。
【課題を解決するための手段】
【０００６】
ここに開示する技術は、トレーニングモードを有する貨幣処理装置であって、前記貨幣処理装置の動作を制御する制御部と、前記貨幣処理装置内の貨幣の個別情報を取得する個別情報取得部と、前記個別情報取得部によって取得された貨幣の個別情報を管理する管理部とを備え、前記制御部は、トレーニングモードにおいて、貨幣の投入を伴う入金処理、または、貨幣の払い出しを伴う出金処理のうち少なくともいずれか一方を実行可能であり、前記管理部は、入金処理において投入された貨幣、または、出金処理において払い出された貨幣について、個別情報を管理する。
【０００７】
この構成によると、貨幣処理装置は、トレーニングモードにおいて、貨幣の投入を伴う入金処理、または、貨幣の払い出しを伴う出金処理のうち少なくともいずれか一方が、実行可能である。そして、入金処理において投入された貨幣、または、出金処理において払い出された貨幣は、管理部によって、個別情報が管理される。すなわち、トレーニング実施後に貨幣処理装置から払い出すべき貨幣、または、トレーニング実施後に貨幣処理装置に戻すべき貨幣について、その個別情報が管理されている。この個別情報を用いることによって、トレーニング実施後に、貨幣処理装置内の貨幣の状態を、容易かつ確実に、元の状態に戻すことができる。
【０００８】
そして、前記制御部は、前記管理部に管理された個別情報を用いて、トレーニングモード開始時と比べて貨幣の過不足がないことが確認されたことを条件に、トレーニングモードを終了する、としてもよい。
【０００９】
これにより、貨幣処理装置は、トレーニング実施後に装置内の貨幣に過不足があるときは、トレーニングモードを終了することはない。したがって、貨幣に過不足がある状態で、通常処理が実行されることを防ぐことができる。
【００１０】
また、前記制御部は、前記管理部に管理された個別情報を参照して、トレーニングモード開始時と比べて貨幣の過不足があるとき、余剰貨幣または不足貨幣がある旨の情報を、前記貨幣処理装置の外部に出力する、としてもよい。
【００１１】
これにより、トレーニング実施後に装置内の貨幣に過不足があるときは、余剰貨幣または不足貨幣がある旨の情報が、貨幣処理装置の外部に出力される。したがって、操作者は、貨幣処理装置に戻すべき貨幣や貨幣処理装置から払い出されるべき貨幣があることを、認識することができる。
【００１２】
また、前記制御部は、トレーニングモード開始時と比べて貨幣の過不足があるとき、前記管理部に管理された個別情報を参照して、余剰貨幣または不足貨幣に関する、個別情報を含む情報を、前記貨幣処理装置の外部に出力する、としてもよい。
【００１３】
これにより、トレーニング実施後に装置内の貨幣に過不足があるときは、余剰貨幣または不足貨幣に関する個別情報を含む情報が、貨幣処理装置の外部に出力される。したがって、操作者は、貨幣処理装置に戻すべき貨幣や貨幣処理装置から払い出されるべき貨幣を、具体的に認識することができる。
【００１４】
また、前記制御部は、トレーニングモード開始時と比べて貨幣の不足があるとき、投入された貨幣について、個別情報を前記個別情報取得部によって取得し、取得した個別情報が、前記管理部に管理された不足貨幣の個別情報と一致する貨幣を、取り込む、としてもよい。
【００１５】
これにより、トレーニング実施後に装置内の貨幣に不足があるとき、貨幣処理装置は、投入された貨幣から、不足貨幣を特定して取り込むことができる。
【００１６】
さらに、前記制御部は、投入された貨幣のうち、取得した個別情報が、前記管理部に管理された不足貨幣の個別情報と一致しない貨幣を、排出する、としてもよい。
【００１７】
これにより、貨幣処理装置は、投入された貨幣の中から、不足貨幣とは異なる貨幣を誤って取り込むことを防止できる。
【００１８】
また、前記制御部は、トレーニングモード開始時と比べて貨幣の余剰があるとき、前記貨幣処理装置内の貨幣について、個別情報を前記個別情報取得部によって取得し、取得した個別情報が、前記管理部に管理された余剰貨幣の個別情報と一致する貨幣を、払い出す、としてもよい。
【００１９】
これにより、トレーニング実施後に装置内の貨幣に余剰があるとき、貨幣処理装置は、装置内の貨幣から、余剰貨幣を特定して払い出すことができる。
【００２０】
また、前記制御部は、トレーニングモードにおいて出金処理を実行する場合に、前記個別情報取得部によって個別情報が取得できなかった貨幣を、払い出しの対象から除外する、としてもよい。
【００２１】
これにより、トレーニングモードにおいて払い出した貨幣に関する、個別情報による管理を、精度良く実行することができる。
【００２２】
また、前記制御部は、トレーニングモードにおいて入金処理を実行する場合に、前記個別情報取得部によって個別情報が取得できなかった貨幣は、排出する、としてもよい。
【００２３】
これにより、トレーニングモードにおいて投入された貨幣に関する、個別情報による管理を、精度良く実行することができる。
【発明の効果】
【００２４】
本開示によると、トレーニングモードを有する貨幣処理装置において、トレーニング実施後に、装置内の貨幣の状態を、容易かつ確実に、元の状態に戻すことができる。
【図面の簡単な説明】
【００２５】
【図１】実施形態に係る貨幣処理装置の全体構成例
【図２】実施形態に係る紙幣処理機の内部構成図
【図３】実施形態に係る貨幣処理装置の機能構成を示すブロック図
【図４】金種別在高情報の例
【図５】（ａ）は第１貨幣ＤＢに管理されたデータの例、（ｂ）は第２貨幣ＤＢに管理されたデータの例
【図６】トレーニングモードにおける貨幣処理装置の動作例を示すフローチャート
【図７】図６における現金払い出し処理のフローチャート
【図８】図６における現金戻し処理のフローチャート
【図９】他の装置構成例
【発明を実施するための形態】
【００２６】
以下、実施形態について、図面に基づいて詳細に説明する。
【００２７】
（貨幣処理装置の構成）
図１は実施形態に係る貨幣処理装置の外観を示す斜視図である。図１に示すように、貨幣処理装置１は、紙幣処理機１０および硬貨処理機１１０が左右に並ぶよう配置されることにより構成されている。紙幣処理機１０は、バラ紙幣の入出金処理を実行可能であり、また、帯封紙幣（紙幣束ともいう）の作成や、帯封紙幣の出金処理を実行可能である。帯封紙幣は、所定枚数（例えば１００枚）のバラ紙幣から作成される。硬貨処理機１１０は、バラ硬貨の入出金処理を実行可能であり、また、包装硬貨の作成や、包装硬貨の出金処理を実行可能である。包装硬貨は、所定枚数（例えば５０枚）のバラ硬貨に紙やフィルム等の包装媒体を巻くことによって作成される。
【００２８】
操作表示部３０２は、例えば硬貨処理機１１０の筐体１１２の上部に設けられたタッチパネル等からなり、貨幣処理装置１における紙幣や硬貨の処理状況や、貨幣処理装置１に収納されている紙幣や硬貨の在高等の情報を表示する。また、操作者はこの操作表示部３０２を介して、様々な操作を行うことができる。印字部３０４は、貨幣処理装置１における紙幣や硬貨の処理状況や、貨幣処理装置１に収納されている紙幣や硬貨の在高等の情報をレシート等に印刷するプリンタ等から構成されている。このような貨幣処理装置１は、例えば銀行等の金融機関に設置され、金融機関の行員等により利用される。
【００２９】
また、貨幣処理装置１は、管理コンピュータ２等の外部装置と通信可能である。また、管理コンピュータ２は、管理者が携帯するタブレット３ａやスマートフォン３ｂ等の携帯端末と通信可能になっている。
【００３０】
図２は紙幣処理機１０の内部構成を概略的に示す構成図である。図２において、左側が紙幣処理機１０の前面側であり、左右方向が紙幣処理機１０の奥行き方向である。図１および図２を用いて、紙幣処理機１０の構成について説明する。なお、硬貨処理機１１０に関しては、その構成の詳細については説明を省略する。
【００３１】
図１および図２に示すように、紙幣処理機１０は略直方体形状の筐体１２を有しており、この筐体１２の前面には、バラ紙幣を入金するための投入部１４、バラ紙幣を出金するためのバラ紙幣投出部２４、および、帯封紙幣を出金するための帯封紙幣投出部４８がそれぞれ設けられている。投入部１４の前面は筐体１２の外部に開口しており、操作者は投入部１４の内部にバラ紙幣の束を投入することができる。一方、バラ紙幣投出部２４および帯封紙幣投出部４８にはそれぞれシャッター２４ａ，４８ａが設けられている。シャッター２４ａ，４８ａは後述するシャッター駆動部２４ｂ，４８ｂによりそれぞれ駆動される。シャッター２４ａ，４８ａによりバラ紙幣投出部２４や帯封紙幣投出部４８が開口されると、操作者はバラ紙幣投出部２４に集積されているバラ紙幣や帯封紙幣投出部４８に集積されている帯封紙幣を取り出すことができる。なお、バラ紙幣投出部２４は、バラ紙幣の出金処理における出金部として機能するとともに、入金処理時において識別できなかったバラ紙幣や正常ではないと識別されたバラ紙幣を排出するための入金リジェクト部としても機能する。
【００３２】
また、バラ紙幣投出部２４の下方には、バラ紙幣の出金処理において、バラ紙幣投出部２４から出金すべきではないと判断されたバラ紙幣が集積される出金リジェクト部２６が設けられている。出金リジェクト部２６の前面は筐体１２の外部に開口しておらず、所定の権限を有する操作者のみが前カバーを開放してアクセスすることができる。
【００３３】
図２に示すように、投入部１４には、投入されたバラ紙幣を１枚ずつ繰り出すための繰出部１６が設けられている。繰出部１６により投入部１４から繰り出されたバラ紙幣は、搬送部１８により筐体１２内で搬送される。搬送部１８には識別部２０が設けられており、搬送部１８により搬送されるバラ紙幣は識別部２０によりその金種、真偽、表裏、正損、新旧、搬送状態等が識別される。ここでは、識別部２０は、搬送されるバラ紙幣の記番号を取得可能なように構成されている。紙幣の記番号は、本開示における貨幣の個別情報の一例であり、識別部２０は、本開示における個別情報取得部の一例である。また、搬送部１８には表裏反転部２２が設けられており、識別部２０により識別されたバラ紙幣は表裏反転部２２によりその表裏が揃うように反転させられる。
【００３４】
搬送部１８には、入金一時保留部３０、混合バラ紙幣収納部３２および複数（図２では３つ）の金種別バラ紙幣収納部３４がそれぞれ接続されている。入金一時保留部３０、混合バラ紙幣収納部３２および各金種別バラ紙幣収納部３４にはそれぞれ、上下方向に移動可能となっているステージ３０ａ，３２ａ，３４ａが設けられており、ステージ３０ａ，３２ａ，３４ａ上でバラ紙幣が積層状態で集積される。ここで、混合バラ紙幣収納部３２には、各金種別バラ紙幣収納部３４に割り当てられていない金種のバラ紙幣や損券、オーバーフロー紙幣等が混合状態で収納される。また、各金種別バラ紙幣収納部３４には、それぞれ予め設定された特定の金種のバラ紙幣が収納される。
【００３５】
入金一時保留部３０の上端部の近傍には紙幣繰出繰入部３０ｂが設けられており、バラ紙幣は紙幣繰出繰入部３０ｂにより、入金一時保留部３０から１枚ずつ搬送部１８に繰り出され、また、搬送部１８から入金一時保留部３０に１枚ずつ繰り入れられる。混合バラ紙幣収納部３２の上端部の近傍には紙幣繰入部３２ｂが設けられており、混合バラ紙幣収納部３２から１枚ずつ搬送部１８に繰り出され、また、バラ紙幣は紙幣繰入部３２ｂにより、搬送部１８から混合バラ紙幣収納部３２に１枚ずつ繰り入れられる。各金種別バラ紙幣収納部３４の上端部の近傍にはそれぞれ紙幣繰出繰入部３４ｂが設けられており、バラ紙幣は紙幣繰出繰入部３４ｂにより、各金種別バラ紙幣収納部３４から１枚ずつ搬送部１８に繰り出され、また、搬送部１８から各金種別バラ紙幣収納部３４に１枚ずつ繰り入れられる。バラ紙幣の出金処理が行われる際には、各金種別バラ紙幣収納部３４から繰り出されたバラ紙幣が搬送部１８により識別部２０に送られ、識別部２０により識別された後にバラ紙幣投出部２４に送られる。
【００３６】
筐体１２の下部には下部扉１２ａが設けられており、操作者は、下部扉１２ａを開くことにより入金一時保留部３０の内部にアクセスできる。また、入金一時保留部３０、混合バラ紙幣収納部３２および各金種別バラ紙幣収納部３４は、手前側に（図２における左方向に）引き出し可能となっている引出ユニット１３に収容されている。操作者は、下部扉１２ａを開いて引出ユニット１３を手前側に引き出し、混合バラ紙幣収納部３２や各金種別バラ紙幣収納部３４を引出ユニット１３から取り外したり、引出ユニット１３に装着したりできる。
【００３７】
また、搬送部１８には複数（図２では２つ）の整理一時保留部４０が接続されており、搬送部１８から送られたバラ紙幣は、整理一時保留部４０に積層状態で集積される。整理一時保留部４０には、集積されているバラ紙幣を搬送部１８に１枚ずつ繰り出す繰出部が設けられていてもよい。また、所定枚数（例えば１００枚）のバラ紙幣からなる紙幣束に帯封紙を巻くことにより帯封紙幣を作成する帯封部４２が、整理一時保留部４０の隣に設けられている。帯封部４２の近傍にはアーム機構４４が設けられている。アーム機構４４は、整理一時保留部４０、帯封部４２および帯封紙幣揚送部４６の間で移動可能となっている。帯封紙幣揚送部４６には、図２における上下方向に移動可能となっているステージ４６ａが設けられている。帯封部４２およびアーム機構４４によって、紙幣結束機構が構成されている。
【００３８】
帯封処理が行われる際に、アーム機構４４は、整理一時保留部４０に集積された所定枚数のバラ紙幣を上下一対のアーム部により保持して、帯封部４２に移動する。帯封部４２において、アーム機構４４に保持された所定枚数のバラ紙幣の外周面に帯封紙が巻かれて帯封紙幣が生成される。帯封処理が行われた後、アーム機構４４は帯封部４２から帯封紙幣揚送部４６に移動して、ステージ４６ａ上に帯封紙幣を受け渡す。このような動作を繰り返すことにより、複数の帯封紙幣を帯封紙幣揚送部４６のステージ４６ａ上に集積させる。
【００３９】
そして、アーム機構４４からステージ４６ａ上に１または複数の帯封紙幣が受け渡された後、ステージ４６ａが上方向に移動して帯封紙幣投出部４８の下端と同じレベルに達する。この状態でシャッター４８ａが開くと、操作者は帯封紙幣投出部４８の内部にアクセスしてステージ４６ａ上に集積されている帯封紙幣を取り出すことができる。また、ステージ４６ａがさらに上昇すると、ステージ４６ａ上に集積されている帯封紙幣を帯封紙幣搬送部６０に受け渡したり、帯封紙幣搬送部６０から帯封紙幣をステージ４６ａ上に集積させたりできる。
【００４０】
筐体１２の内部における上部領域には、複数（図２では４つ）の帯封紙幣収納部７０が設けられている。各帯封紙幣収納部７０の内部にはそれぞれ、上下方向に移動可能であるステージ７０ａが設けられている。帯封部４２により作成された帯封紙幣は、帯封紙幣収納部７０の上端部に設けられた開口からステージ７０ａ上に積層状態で集積される。各帯封紙幣収納部７０から帯封紙幣を出す場合には、ステージ７０ａが上昇して、各帯封紙幣収納部７０の開口から帯封紙幣が上方に出される。各帯封紙幣収納部７０には、それぞれ予め設定された特定の金種の帯封紙幣が収納される。ただし、複数の帯封紙幣収納部７０のうち少なくとも１つは、金種が異なる帯封紙幣を混合状態で収納するようにしてもよい。
【００４１】
各帯封紙幣収納部７０の上方には、帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動可能である。帯封紙幣搬送部６０によって搬送される帯封紙幣は、循環ベルト６０ｂの下面に沿って突起６０ａにより引っ掛けられた状態で左右いずれかの方向に移動する。また、帯封紙幣揚送部４６の上端と帯封紙幣収納部７０との間に識別部６２が設けられている。識別部６２は、搬送される帯封紙幣の金種を、例えばその最下面の紙幣の撮像画像から識別する。識別部６２はまた、帯封紙幣の紙幣や結束帯の状態、例えば破れや汚れの有無等を識別する。なお、図２の構成では識別部６２は搬送路の下側に設けているが、例えば搬送路の上側に設けてもよいし、搬送路の上下に設けてもよい。搬送路の上側に設けた場合には、識別部６２は、搬送される帯封紙幣の金種をその最上面の紙幣の撮像画像から識別する。
【００４２】
ここで、帯封部４２により作成された帯封紙幣を各帯封紙幣収納部７０に収納させる際には、帯封紙幣は、アーム機構４４から帯封紙幣揚送部４６のステージ４６ａ上に受け渡された後に、ステージ４６ａの上昇によって帯封紙幣搬送部６０の近傍の位置まで達する。循環ベルト６０ｂは反時計回りの方向に循環移動する。これにより、ステージ４６ａ上の帯封紙幣は突起６０ａに引っ掛けられて、循環ベルト６０ｂの下面に沿って右方向に搬送され、識別部６２によりその金種が判別された後、識別部６２による識別結果に基づいて、対応する帯封紙幣収納部７０に収納される。
【００４３】
一方、帯封紙幣収納部７０に収納されている帯封紙幣を出金する際には、循環ベルト６０ｂは時計回りの方向に循環移動する。帯封紙幣収納部７０から上方に押し出された最上位の帯封紙幣が突起６０ａにより引っ掛けられて循環ベルト６０ｂの下面に沿って左方向に搬送される。また、ステージ４６ａが上昇して帯封紙幣搬送部６０の近傍の位置まで達する。そして、搬送される帯封紙幣は、その金種が識別部６２により識別された後、上方位置で待機していたステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定数の帯封紙幣が集積されると、当該ステージ４６ａが帯封紙幣投出部４８の下端と同じレベルまで下降し、シャッター４８ａが開く。これにより、操作者は帯封紙幣投出部４８から帯封紙幣を取り出すことができる。
【００４４】
図３は貨幣処理装置１の機能構成の概略を示すブロック図である。図３に示すように、貨幣処理装置１には、各構成要素の制御を行う制御部３００が設けられている。制御部３００には、紙幣処理機１０の構成要素、具体的には、投入部１４、繰出部１６、搬送部１８、識別部２０、表裏反転部２２、入金一時保留部３０（ステージ３０ａの駆動機構や紙幣繰出繰入部３０ｂ）、混合バラ紙幣収納部３２（ステージ３２ａの駆動機構や紙幣繰入部３２ｂ）、金種別バラ紙幣収納部３４（ステージ３４ａの駆動機構や紙幣繰出繰入部３４ｂ）、帯封部４２、アーム機構４４、帯封紙幣揚送部４６、帯封紙幣搬送部６０、識別部６２、帯封紙幣収納部７０（ステージ７０ａの駆動機構）、シャッター２４ａ，４８ａを開閉させるシャッター駆動部２４ｂ，４８ｂ等がそれぞれ接続されている。そして、制御部３００は、識別部２０によるバラ紙幣の識別結果に係る情報や識別部６２による帯封紙幣の金種の判別結果に係る情報等を受け、また、紙幣処理機１０の各構成要素に指令信号を送ることによりその動作を制御する。
【００４５】
また、制御部３００には、硬貨処理機１１０の各構成要素が接続されており、硬貨処理機１１０の動作を制御する。さらに、制御部３００には、操作表示部３０２、印字部３０４、記憶部３１０および通信インターフェース部３０６がそれぞれ接続されている。記憶部３１０は、貨幣処理装置１における処理履歴や、貨幣処理装置１に収納されている紙幣や硬貨の在高等の情報を記憶する。また、制御部３００は通信インターフェース部３０６を介して、管理コンピュータ２等の外部装置に対して様々な信号の送受信を行うことができる。
【００４６】
図４は記憶部３１０に格納された金種別在高情報３１１の例である。図４の例では、金種別バラ紙幣収納部３４（金種別収納部１〜３と記載）および混合バラ紙幣収納部３２について、収納された紙幣の金種、枚数および合計金額が格納されている。さらに、収納された各紙幣について、識別部２０によって取得された記番号が集積順序に従ってリスト形式で格納されている。
【００４７】
本開示では、貨幣処理装置１は、トレーニングモードを有している。制御部３００は、トレーニングモードにおいても、紙幣処理機１０および硬貨処理機１１０の動作を制御する。トレーニングモードでは、制御部３００は、貨幣の投入を伴う入金処理（通常の入金処理と区別するために、仮入金処理と称する）や、貨幣の払い出しを伴う出金処理（通常の出金処理と区別するために、仮出金処理と称する）を実行可能である。そして、記憶部３１０は、仮入金処理において投入された貨幣のデータを管理する第１貨幣データベース（ＤＢ）３１２と、仮出金処理において払い出された貨幣のデータを管理する第２貨幣ＤＢ３１３とを格納している。記憶部３１０は、本開示における管理部の一例である。
【００４８】
図５（ａ）は第１貨幣ＤＢ３１２に管理されたデータの例、図５（ｂ）は第２貨幣ＤＢ３１３に管理されたデータの例である。図５（ａ）に示す第１貨幣ＤＢ３１２では、トレーニングモードの仮入金処理において貨幣処理装置１の外部から投入された貨幣について、その金種、記番号、および収納された収納部のデータが管理されている。第１貨幣ＤＢ３１２にデータが管理された貨幣は、トレーニングモードの終了時には貨幣処理装置１の外部に排出すべき貨幣である。一方、図５（ｂ）に示す第２貨幣ＤＢ３１３では、トレーニングモードの仮出金処理において、貨幣処理装置１の外部に払い出された貨幣について、その金種、記番号、および収納されていた収納部のデータが管理されている。第２貨幣ＤＢ３１３にデータが管理された貨幣は、トレーニングモードの終了時には貨幣処理装置１に戻すべき貨幣である。
【００４９】
トレーニングモードの開始時には、第１および第２貨幣ＤＢ３１２，３１３にはデータは含まれていない。そして、トレーニング中の仮入金処理において入金が発生すると、投入された貨幣のデータが第１貨幣ＤＢ３１２に追加される。投入された貨幣が払い出されると、第１貨幣ＤＢ３１２からその貨幣のデータが消去される。また、トレーニング中の仮出金処理において出金が発生すると、払い出された貨幣のデータが第２貨幣ＤＢ３１３に追加される。払い出された貨幣が戻されると、第２貨幣ＤＢ３１３からその貨幣のデータが消去される。
【００５０】
このように、トレーニングモードにおいて入出金される貨幣について、記番号を含むデータを管理することによって、トレーニング実施後に、貨幣処理装置１内の貨幣の状態を、容易かつ確実に、元の状態に戻すことができる。
【００５１】
（トレーニングモードの動作）
図６〜図８のフローチャートを用いて、本実施形態における貨幣処理装置１のトレーニングモードにおける動作例について説明する。図６に示すように、まず、操作者が操作表示部３０２に対して操作を行い、貨幣処理装置１は入力された操作者ＩＤを取得する（Ｓ１１）。その後、操作者によってトレーニングモードが選択される（Ｓ１２）。貨幣処理装置１は、トレーニングが開始される時の金種別在高情報３１１を、別途、保存する（Ｓ１３）。
【００５２】
その後、操作者によってメニューが選択され（Ｓ１４）、トレーニングが実施される。制御部３００は、トレーニングモードにおいて、操作表示部３０２に操作ガイダンスを表示したり、各構成要素を通常処理と同様に動作させたりする。そして、入金系のトレーニングが選択されている場合は、貨幣処理装置１の外部から投入された貨幣について、識別部２０によって金種や記番号等を取得し、金種別在高情報３１１を更新するとともに、第１貨幣ＤＢ３１２にデータを追加する（Ｓ１６）。ただし、投入された貨幣の記番号が第２貨幣ＤＢ３１３内のデータと一致する場合には、第２貨幣ＤＢ３１３内の当該データを消去し、第１貨幣ＤＢ３１２にはデータを追加しない。また、出金系のトレーニングが選択されている場合は、貨幣処理装置１の外部に排出される貨幣について、識別部２０によって金種や記番号等を取得し、金種別在高情報３１１を更新するとともに、第２貨幣ＤＢ３１３にデータを追加する（Ｓ１７）。ただし、排出された貨幣の記番号が第１貨幣ＤＢ３１２内のデータと一致する場合には、第１貨幣ＤＢ３１２内の当該データを消去し、第２貨幣ＤＢ３１３にはデータを追加しない。なお、貨幣の投入や排出が行われないトレーニングの場合には、金種別在高情報３１１は更新されることはなく、第１および第２貨幣ＤＢ３１２，３１３へのデータ追加もない。
【００５３】
その後、操作者から、トレーニング処理終了指示が入力される（Ｓ１８）。このとき、制御部３００は、現在の金種別在高情報３１１をトレーニング開始時に保存した金種別在高情報３１１と比較し、在高や記番号が一致しているか否かを確認する（Ｓ１９）。一致しているときは（Ｓ１９でＹＥＳ）、動作を終了する。一方、一致していないときは（Ｓ１９でＮＯ）、制御部３００は、貨幣処理装置１の外部に警告を報知する（Ｓ１Ａ）。例えば、操作表示部３０２に、入金系のトレーニングで投入されたが排出されていない余剰貨幣、または、出金系のトレーニングで排出したが戻されていない不足貨幣がある旨のメッセージを表示する。そして、余剰貨幣があるときは、現金払い出し処理Ｓ２０を実行し、不足貨幣があるときは、現金戻し処理Ｓ３０を実行する。
【００５４】
図７は現金払い出し処理Ｓ２０を示すフローチャートである。図７に示すように、現金払い出し処理Ｓ２０では、制御部３００は、各収納部内の貨幣を循環させて金種や記番号を確認する確認処理を開始し（Ｓ２１）、第１貨幣ＤＢ３１２のデータを参照して、排出すべき貨幣を特定する（Ｓ２２）。すなわち、第１貨幣ＤＢ３１２に管理された余剰貨幣の記番号と同一の記番号を持つ貨幣を、排出すべき貨幣として特定する。そして、排出すべき貨幣を排出する（Ｓ２３）とともに、金種別在高情報３１１を更新し、第１貨幣ＤＢ３１２の当該貨幣のデータを消し込む（Ｓ２４）。このような動作を、第１貨幣ＤＢ３１２のデータがなくなるまで、あるいは、機内の全ての貨幣の確認が終了するまで、行う（Ｓ２５）。
【００５５】
図８は現金戻し処理Ｓ３０を示すフローチャートである。図８に示すように、現金戻し処理Ｓ３０では、まず、操作者は、トレーニングモードで払い出された貨幣（手元に持っている貨幣）を、例えば投入部１４から投入する（Ｓ３１）。制御部３００は、投入された貨幣を繰り出し、識別部２０によって識別を行う（Ｓ３２）。そして、第２貨幣ＤＢ３１３のデータを参照して、戻し入れるべき貨幣を特定する（Ｓ３３）。すなわち、第２貨幣ＤＢ３１３に管理された不足貨幣の記番号と同一の記番号を持つ貨幣を、戻し入れるべき貨幣として特定する。そして、戻し入れる貨幣を元の収納部に収納し（Ｓ３４）、金種別在高情報３１１を更新し、第２貨幣ＤＢ３１３の当該貨幣のデータを消し込む（Ｓ３５）。一方、投入された貨幣のうち、戻し入れるべき貨幣以外については、貨幣処理装置１から排出する（Ｓ３６）。なお、このとき、貨幣処理装置１の外部に警告を報知するようにしてもよい。例えば、操作表示部３０２に、「排出された貨幣があります。回収して下さい。」と表示する。このような動作を、投入された貨幣がなくなるまで行う（Ｓ３７）。
【００５６】
現金払い出し処理Ｓ２０や現金戻し処理Ｓ３０が実行された後、制御部３００は、現在の金種別在高情報３１１をトレーニング開始時に保存した金種別在高情報３１１と比較し、在高や記番号が一致しているか否かを確認する（Ｓ１９）。一致しているときは（Ｓ１９でＹＥＳ）、動作を終了する。すなわち、制御部３００は、トレーニングモード開始時と比べて貨幣の過不足がないことを確認できたことを条件に、トレーニングモードを終了する。これにより、貨幣に過不足がある状態で、通常処理が実行されることを防ぐことができる。
【００５７】
一方、現金払い出し処理Ｓ２０や現金戻し処理Ｓ３０を実行したにもかかわらず、在高や記番号が一致していないときは（Ｓ１９でＮＯ）、制御部３００は、貨幣処理装置１の外部に警告を報知する（Ｓ１Ａ）。例えば、余剰貨幣があるときは、その余剰貨幣の金種や記番号を操作表示部３０２に表示する。また、不足貨幣があるときは、その不足貨幣の金種や記番号を操作表示部３０２に表示するとともに、まだ戻されていない貨幣について、速やかに戻すよう、操作者に注意を促す。
【００５８】
以上のように本実施形態によると、貨幣処理装置１は、トレーニングモードにおいて、貨幣の投入を伴う仮入金処理や貨幣の払い出しを伴う仮出金処理が、実行可能である。そして、仮入金処理において投入された貨幣、および、仮出金処理において払い出された貨幣は、記憶部３１０によって、記番号が管理される。すなわち、トレーニング実施後に貨幣処理装置１から払い出すべき貨幣、および、トレーニング実施後に貨幣処理装置に戻すべき貨幣について、その記番号が管理されている。この記番号を用いることによって、トレーニング実施後に、貨幣処理装置１内の貨幣の状態を、容易かつ確実に、元の状態に戻すことができる。
【００５９】
なお、貨幣処理装置１は、トレーニングモードにおいて、貨幣の投入を伴う仮入金処理および貨幣の払い出しを伴う仮出金処理のうち、いずれか一方が、実行可能であってもよい。また、仮入金処理において投入された貨幣、および、仮出金処理において払い出された貨幣のうち、いずれか一方について、記番号を管理するようにしてもよい。
【００６０】
（他の処理）
（その１）
トレーニングモードにおいて仮入金処理を実行する場合に、識別部２０によって記番号が取得できなかった紙幣は、貨幣処理装置１内に取り込まないで、例えばバラ紙幣投出部２４から排出するようにしてもよい。あるいは、トレーニングモードにおいて仮出金処理を実行する場合に、識別部２０によって記番号が取得できなかった紙幣は、払い出しの対象から除外して、貨幣処理装置１から払い出さないようにしてもよい。これにより、トレーニングモードにおいて、紙幣の記番号による管理の精度を上げることができる。
【００６１】
（その２）
上の実施形態では、トレーニング実施後において、金種別在高情報がトレーニング開始前と一致していないとき、貨幣処理装置１の外部に警告を報知して、現金払い出し処理Ｓ２０や現金戻し処理Ｓ３０を実行するものとしている。これに代えて、トレーニング実施後に、警告を報知しないで、まず、現金払い出し処理Ｓ２０や現金戻し処理Ｓ３０を実行するようにしてもよい。そして、現金払い出し処理Ｓ２０や現金戻し処理Ｓ３０を実行した後に、まだ金種別在高情報がトレーニング開始前と一致していないとき、警告を報知するようにしてもよい。その際には、不足紙幣または余剰紙幣について、その金種や記番号を表示するようにしてもよい。
【００６２】
（その３）
上の実施形態では、トレーニング実施後において、金種別在高情報がトレーニング開始前と一致していないときや、現金戻し処理Ｓ３０において、戻し入れるべき貨幣以外の貨幣が投入されたとき等において、制御部３００は、貨幣処理装置１の外部に警告を報知するものとした。これに代えて、あるいは、これとともに、制御部３００は、通信インターフェース部３０６を介して、管理コンピュータ２や、管理者が携帯するタブレット３ａやスマートフォン３ｂ等に、警告を送信してもよい。
【００６３】
（その４）
上の実施形態では、記憶部３１０に第１および第２貨幣ＤＢ３１２，３１３を設けて、貨幣処理装置１内で、トレーニングモードにおける貨幣の入出力管理を行うものとした。これに代えて、外部装置例えば管理コンピュータ２において、トレーニングモードにおける貨幣の入出力管理を行うようにしてもよい。
【００６４】
（その５）
現金戻し処理Ｓ３０を行う場合において、戻し入れるべき貨幣が破損している場合は、同一金種の代替貨幣を管理者権限で入力できるようにしてもよい。管理者権限の有無は、操作者ＩＤによって判断すればよい。この場合、管理者は、操作表示部３０２に表示された不足貨幣を指定した上で、代替貨幣を投入する。制御部３００は、投入された代替貨幣を、不足貨幣と同一金種であることを条件として受け入れ、金種別在高情報３１１を更新するとともに、第２貨幣ＤＢ３１３の不足貨幣のデータを消去する。
【００６５】
（他の実施形態）
（その１）
上の実施形態では、紙幣処理機１０および硬貨処理機１１０を備えた貨幣処理装置１を例にとって説明したが、この他にも、硬貨処理機能を有しない紙幣処理装置であっても、本開示はもちろん適用可能である。また、上の実施形態では、紙幣処理機１０はバラ紙幣処理機能と束紙幣処理機能の両方を有しているものとしたが、バラ紙幣処理装置と束紙幣処理装置とが別体になったシステムであっても、本開示は適用可能である。
【００６６】
（その２）
本開示は、他の貨幣処理装置にも適用可能である。図９は他の実施形態に係る構成例を示す図であり、硬貨釣銭機２１０および紙幣釣銭機２２０と制御端末機３００を備えたシステム構成を示す。硬貨釣銭機２１０は、前部上面にタッチパネル等の操作表示部２１１を備え、前部に硬貨受入部２１２および硬貨払出部２１３が設けられている。紙幣釣銭機２２０は、前面に紙幣受け入れ部２２１および紙幣払出部２２２が設けられている。この構成において、上の実施形態と同様に、入出金処理を伴うトレーニングモードが実行可能とし、トレーニングモードにおける貨幣の入出力管理を行うものとしてもよい。また、貨幣の記番号を管理する機能を制御端末機３００（外部装置）に持たせてもよい。さらには、不足貨幣や余剰貨幣についての警告は、例えば制御端末機３００の操作表示部２３１に表示してもよい。
【００６７】
（その３）
上の実施形態では、貨幣の個別情報の一例として、紙幣の記番号を用いて説明を行ったが、その他の貨幣の個別情報を利用してもかまわない。
【符号の説明】
【００６８】
１  貨幣処理装置
２０  識別部（個別情報取得部）
３００  制御部
３１０  記憶部（管理部）
３１２  第１貨幣データベース
３１３  第２貨幣データベース
【図１】
2019046362.tif 000003
【図２】
2019046362.tif 000004
【図３】
2019046362.tif 000005
【図４】
2019046362.tif 000006
【図５】
2019046362.tif 000007
【図６】
2019046362.tif 000008
【図７】
2019046362.tif 000009
【図８】
2019046362.tif 000010
【図９】
2019046362.tif 000011